(57)【特許請求の範囲】
【請求項１】
画面内を複数の領域に分割して被写体反射光を測光する分割測光手段と、露光動作に先立って被写体に向けてプリ発光を行わせるプリ発光制御手段と、前記プリ発光時における前記分割測光手段で測光した測光情報に基づいて本発光を行わせる本発光制御手段とを備え、
前記本発光制御手段は、前記複数の領域から第１の領域および第１の領域の周辺に位置する第２の領域を選択し、被写体倍率が大きくなるほど、プリ発光に伴う第１の領域での測光情報に対する重み付係数を小さくするとともに、プリ発光に伴う第２の領域での測光情報に対する重み付係数を大きくして、本発光の発光量を演算することを特徴とするカメラシステム。
【請求項２】
プリ発光時における発光部の発光量を測光するプリ発光発光部測光手段を備え、
前記本発光制御手段は、前記被写体倍率に応じて変更され、第１及び第２の領域に対応した重み付係数を用いて、プリ発光時における測光情報の重み付け平均値を演算し、この重み付け平均値に基づいてプリ発光量に対する本発光量の相対値を演算し、前記相対値と前記プリ発光発光部測光手段による測光結果に基づいて本発光量を演算することを特徴とする請求項１に記載のカメラシステム。
【請求項３】
画面内を複数の領域に分割して被写体反射光を測光する測光手段と、露光動作に先立って被写体に向けてプリ発光を行わせるプリ発光制御手段と、前記プリ発光時における前記測光手段で測光した測光情報に基づいて本発光を行わせる本発光制御手段とを備え、
前記本発光制御手段は、前記複数の領域から、第１の領域および第１の領域の周辺に位置する第２の領域を選択し、被写体倍率が大きくなるほど、第１の領域の測光情報に対する重み付係数を小さくするとともに、第２の領域の測光情報に対する重み付係数を大きくし、この重み付係数を用いて本発光時における前記第１および第２の領域での測光情報の重み付加算を行い、この加算値が所定値に達したときに、本発光を停止させることを特徴とするカメラシステム。
【請求項４】
前記被写体倍率は、主被写体の距離情報であることを特徴とする請求項１から３のいずれか１つに記載のカメラシステム。
【請求項５】
前記第１の領域は、焦点状態を検出し焦点情報を出力する焦点検出手段の焦点検出点と一致することを特徴とする請求項１から３のいずれか１つに記載のカメラシステム。
【請求項６】
前記本発光制御手段は、プリ発光に伴う各領域の測光情報に基づいて、前記第１の領域を選択することを特徴とする請求項１から３のいずれか１つに記載のカメラシステム。
【請求項７】
前記本発光制御手段は、第２の領域として、前記第１の領域に対して隣接する領域または近い領域を選択することを特徴とする請求項１から６のいずれか１つに記載のカメラシステム。
【発明の詳細な説明】
【０００１】
【発明の属する技術分野】
本発明は、被写体に向け発光を行い、自動的に適正露光を得るように発光量の調節を行い露光動作を行うカメラシステムに関するものである。
【０００２】
【従来の技術】
従来より、被写体に向け発光を行い自動的に適正露光を得るように発光量の調節を行い露光動作を行うカメラシステムは種々提案されている。
【０００３】
そのなかでも露光動作に先立ってプリ発光を行い、画面内を複数の領域に分割してプリ発光の被写体反射光をそれぞれ領域毎に測光し、その測光結果をもとに本発光の発光量制御を行うものは、撮影画面のさまざまな状況に対応することができるので優れた方法といえる。
【０００４】
例えば特開平４−３３１９３５号公報では、複数の領域のプリ発光被写体反射光測光値のうち特定のレベルの範囲内に入らない領域のものは、本発光の発光量を決める演算の領域から除外することやプリ発光被写体測光値によっては本発光量の決定に所定の補正値を加えること等が提案されている。
【０００５】
また本出願人は、プリ発光の反射光の測光値レベルによって、本発光の発光量の決定に所定の補正値を加えることを提案している。
【０００６】
【発明が解決しようとする課題】
これらの方式は、例えば画面内に窓ガラス等の反射物が正対していてストロボの正反射光が測光値に大きくのってきてストロボ光量制御がアンダーになってしまったり、主被写体が画面内での大きさが小さすぎてストロボの被写体反射光が測光値としては小さくなってオーバーに制御されることを防ぐものである。
【０００７】
しかしながらこれらの方式では、まだ不十分であり常に適正のストロボ露光量を得られない撮影シーンも存在している。
【０００８】
本出願に係る発明は、いかなる撮影シーンにおいても常にストロボ光量を適正に制御して失敗のない撮影を行おうとするものである。
【０００９】
【課題を解決するための手段】
本出願に係る発明の第１の構成は、画面内を複数の領域に分割して被写体反射光を測光する分割測光手段と、露光動作に先立って被写体に向けてプリ発光を行わせるプリ発光制御手段と、前記プリ発光時における前記分割測光手段で測光した測光情報に基づいて本発光を行わせる本発光制御手段とを備え、前記本発光制御手段は、前記複数の領域から、第１の領域および第１の領域の周辺に位置する第２の領域を選択し、被写体倍率が大きくなるほど、プリ発光に伴う第１の領域での測光情報に対する重み付係数を小さくするとともに、プリ発光に伴う第２の領域での測光情報に対する重み付係数を大きくして、本発光の発光量を演算するものである。
【００１０】
本出願に係る発明の第２の構成は、プリ発光時における発光部の発光量を測光するプリ発光発光部測光手段を備え、前記本発光制御手段は、前記被写体倍率に応じて変更され、第１及び第２の領域に対応した重み付係数を用いて、プリ発光時における測光情報の重み付け平均値を演算し、この重み付け平均値に基づいてプリ発光量に対する本発光量の相対値を演算し、前記相対値と前記プリ発光発光部測光手段による測光結果に基づいて本発光量を演算するものである。
【００１１】
本出願に係る発明の第３の構成は、画面内を複数の領域に分割して被写体反射光を測光する測光手段と、露光動作に先立って被写体に向けてプリ発光を行わせるプリ発光制御手段と、前記プリ発光時における前記測光手段で測光した測光情報に基づいて本発光を行わせる本発光制御手段とを備え、前記本発光制御手段は、前記複数の領域から、第１の領域および第１の領域の周辺に位置する第２の領域を選択し、被写体倍率が大きくなるほど、第１の領域の測光情報に対する重み付係数を小さくするとともに、第２の領域の測光情報に対する重み付係数を大きくし、この重み付係数を用いて本発光時における前記第１および第２の領域での測光情報の重み付加算を行い、この加算値が所定値に達したときに本発光を停止させるものである。
【００１２】
上記した構成において、被写体倍率が主被写体の距離情報である。
【００１３】
上記した構成において、第１の領域は、焦点状態を検出し焦点情報を出力する焦点検出手段の焦点検出点と一致するものである。
【００１５】
上記した構成において、本発光制御手段は、プリ発光に伴う各領域の測光情報に基づいて、第１の領域を選択するものである。
【００１６】
上記した構成における前記本発光制御手段の第２の領域選択部は、前記第１の所定の領域に画面上の位置関係として隣接または近い領域を選択するものである。
【００１７】
上記した構成における前記被写体倍率決定手段は、前記第１の所定の領域における前記分割測光手段によるプリ発光測光情報により得るものである。
【００１８】
ここで、露光動作に先立つプリ発光は、撮影者が露光動作を開始するときに押すレリーズボタンを押した直後に行うものでもよいし、レリーズボタンを押すまえに他の操作部材を操作することで行われるものでもよい。第１の領域は、１つの領域としても良いし２つ以上の領域としてもよい。第２の領域は、第１の領域を含んでもよいし、また１つの領域から複数の領域、さらには全ての領域としてもよい。被写体のカメラからの距離に関する情報は、例えば第１の領域における被写体の距離情報でよいし、他の領域の距離情報でもよいし、複数の領域の距離情報の平均でもよいし、またレンズの焦点を合わせた距離情報でもよい。前記重み付け係数は、０または正の実数である。重み付平均値の演算は、マイクロコンピューターによるソフト的な演算でもよいし、アナログ回路によるハード的な演算でもよい。測光手段は、本発光とプリ発光の夫々に設けても共通としてもよいし、異なった測光センサで各領域のみ対応させたものでもよい。重み付加算は、マイクロコンピューターによるソフト的な演算で行ってもよいし、アナログ回路によるハード的な演算で行ってもよい。
【００１９】
【発明の実施の形態】
（第1 の実施の形態）
図１〜図７および図１０、図１１は第１の実施の形態を示す。
【００２０】
図１は本発明を１眼レフレックスカメラに適用して実施したストロボカメラシステムの主に光学的な構成を説明した横断面図である。
【００２１】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退避される。また主ミラー２はハーフミラーとなっており斜設されているときも、後述する焦点検出光学系に被写体からの光線の約半分を透過させている。
【００２２】
３は撮影レンズ１２〜１４の予定結像面に配置されたピント板、４はファインダー光路変更用のペンタプリズム、５はファインダーで撮影者はこの窓よりピント板３を観察することで、撮影画面を観察することが出来る。６、７は観察画面内の被写体輝度を測定する為の結像レンズと多分割測光センサーで、結像レンズ６はペンタプリズム４内の反射光路を介してピント板３と多分割測光センサー７を共役に関係付けている。
【００２３】
図４に撮影画面上の測光エリア分割図を示す。撮影画面はＡ０〜Ａ２２までの２３エリアに分割されている。多分割測光センサー７は、撮影画面と共役に関係付けられたそれぞれのエリアの輝度を測定することが出来る。
【００２４】
図１に戻って、８はシャッター、９は感光部材で、銀塩フィルム等より成っている。２５はサブミラーであり、被写体からの光線（主ミラー２は斜設されているときも被写体からの光線の約半分が透過する）を下方に折り曲げて、焦点検出ユニット２６の方に導いている。焦点検出ユニット２６内には、２次結像ミラー２７、２次結像レンズ２８、焦点検出ラインセンサ２９等が設けられている。
【００２５】
２次結像ミラー２７、２次結像レンズ２８により焦点検出光学系を成しており、撮影光学系の２次結像面を焦点検出ラインセンサ２９上に結んでいる。焦点検出ユニット２６は後述の電気回路の処理により、既知の位相差検出法により撮影画面内の被写体の焦点状態を検出し、撮影レンズの焦点調節機構を制御することにより自動焦点検出装置を実現している。
【００２６】
この自動焦点検出装置は、図４の撮影画面内のＡ０〜Ａ６の７点の焦点状態を検出するものである。
【００２７】
２３はフィルム面を測光するための測光レンズであり、２４はフィルム面測光センサである。これらは、露光中にフィルム面に到達した光の拡散反射を利用して露光量を測定しストロボの適正光量を得る、いわゆるＴＴＬ調光に使用される。
【００２８】
１０は公知のカメラと撮影レンズとのインターフェイスとなるマウント接点であり、１１はカメラ本体に据え付けられるレンズ鏡筒である。１２〜１４は撮影レンズであり、１２は１群レンズで、光軸上を左右に可動することで、撮影画面のピント位置を調整することが出来る。１３は２群レンズで光軸上を左右に可動することで、撮影画面の変倍となり撮影レンズの焦点距離が変更される。１４は３群固定レンズである。１５は撮影レンズ絞りである。
【００２９】
１６はその１群レンズ駆動モータであり、自動焦点調節動作に従って１群レンズを光軸方向に沿って移動させることにより、自動的にピント位置を調整することが出来る。１７はレンズ絞り駆動モータであり、これにより撮影レンズ絞りを開放にしたり、絞ったりする事が出来る。
【００３０】
１８は外付けストロボで、カメラ本体１に取り付けられ、カメラからの信号に従って発光制御を行うものである。１９はキセノン管で電流エネルギーを発光エネルギーに変換する。２０、２１は反射板とフレネルであり、それぞれ発光エネルギーを効率良く被写体に向けて集光する役目である。２２はカメラ本体１と外付けストロボ１８とのインターフェースとなる公知のストロボ接点である。
【００３１】
３０はグラスファイバーでありキセノン管１９の発光した光をモニタ用のセンサ（ＰＤ１）３１に導いている。センサ（ＰＤ１）３１はストロボ１８のプリ発光及び本発光の光量を直接測光しているものであり、本発光量の制御のためのセンサである。３２はキセノン管１９の発光した光をモニタするセンサ（ＰＤ２）である。センサ（ＰＤ２）３２の出力によりキセノン管１９の発光電流を制限してストロボ１８がフラット発光を行う事が出来る。
【００３２】
３３はストロボ１８がバウンス撮影になっているかを検知するスイッチである。３４は反射板を前後に移動させ、ストロボ発光の照射角を撮影レンズ（１２〜１４）の焦点距離に合わせて画面に適合させる照射角（ストロボズーム）調節機構である。
【００３３】
図１では、本発明を実現するために必要な部材の内、光学メカ部材のみ記しており、その他に電気回路部材が必要となるが、ここでは省略してある。
【００３４】
図２、図３に本実施の形態のストロボカメラシステムの電気回路ブロック図を示し、図２はカメラ本体１側と撮影レンズ側の回路ブロック図、図３はストロボ１８側の回路ブロックを示し、図１と対応する部材には同じ符号を付している。
【００３５】
まず図２から説明すると、カメラマイコン１００は、所定のソフトウエアによりカメラ内の動作の制御を行う。ＥＥＰＲＯＭ１００ｂは、フィルムカウンタその他の撮影情報を記憶可能である。１００ｃのＡ／Ｄ変換器は、焦点検出回路１０５、測光回路１０６からのアナログ信号をＡ／Ｄ変換し、カメラマイコン１００はそのＡ／Ｄ値を信号処理することにより各種状態を設定する。
【００３６】
カメラマイコン１００には、焦点検出回路１０５、測光回路１０６、シャッター制御回路１０７、モーター制御回路１０８、フィルム走行検知回路１０９、スイッチセンス回路１１０、液晶表示回路（ＬＣＤ駆動回路）１１１が接続されている。また、撮影レンズ側とはマウント接点群１０を介して信号の伝達がなされる。さらにストロボ１８側とは、ストロボ１８が直接カメラ本体１に取り付けられた状態では、ストロボ接点群２２を介して信号の伝達がなされる。
【００３７】
ラインセンサー２９は前述のようにファインダー上の撮影画面内のＡ０〜Ａ６の７点の焦点状態を検出するもので、撮影光学系の２次結像面にペアで各焦点検出点に対応したラインセンサである。焦点検出回路１０５はカメラマイコン１００の信号に従い、これらラインセンサー２９の蓄積制御と読み出し制御を行って、ぞれぞれ光電変換された画素情報をカメラマイコン１００に出力する。
【００３８】
カメラマイコン１００はこの情報をＡ／Ｄ変換し周知の位相差検出法による焦点検出を行う。カメラマイコン１００は焦点検出情報により、レンズマイコン１１２と信号のやりとり行うことによりレンズの焦点調節を行う。
【００３９】
測光回路１０６は画面内の各エリアの輝度信号として、前述したように画面内を複数のエリアに分割した多分割測光センサ７からの出力をカメラマイコン１００に出力する。測光回路１０６は、被写体に向けてストロボ光をプリ発光していない定常状態とプリ発光しているプリ発光状態と双方の状態で輝度信号を出力し、カメラマイコン１００は輝度信号をＡ／Ｄ変換し、撮影の露出の調節のための絞り値の演算とシャッタースピードの演算、及び露光時のストロボ本発光量の演算を行う。
【００４０】
シャッター制御回路１０７は、カメラマイコン１００からの信号に従って、シャッター先幕（ＭＧ−１）、シャッター後幕（ＭＧ−２）を走行させ、露出動作を担っている。モータ制御回路１０８は、カメラマイコン１００からの信号に従ってモータを制御することにより、主ミラー２のアップダウン、及びシャッター８のチャージ、そしてフィルムの給送を行っている。フィルム走行検知回路１０９は、フィルム給送時にフィルムが１駒分巻き上げられたかを検知し、カメラマイコン１００に信号を送る。
【００４１】
スイッチＳＷ１は不図示のレリーズ釦の第１ストロークでＯＮし、測光、ＡＦを開始するスイッチとなる。スイッチＳＷ２はレリーズ釦の第２ストロークでＯＮし、露光動作を開始するスイッチとなる。スイッチＳＷＦＥＬＫは、不図示のプッシュスイッチでＯＮするスイッチであり、露光動作の前にストロボプリ発光を行ってストロボ光量を決定しロックする動作の始動スイッチである。
【００４２】
スイッチＳＷ１，スイッチＳＷ２，スイッチＳＷＦＥＬＫ及びその他不図示のカメラの操作部材からの信号は、スイッチセンス回路１１０が検知し、カメラマイコン１００に送っている。スイッチＳＷＸは、シャッター８の全開にともなってＯＮするスイッチであり、ストロボ１８側に、露光時本発光の発光タイミングを送っている。
【００４３】
液晶表示回路１１１はファインダー内ＬＣＤ４１と不図示のモニター用ＬＣＤ４２の表示をカメラマイコン１００からの信号に従って制御している。１１４はフィルム面反射測光回路であり、フィルム面測光センサ２４の測光情報をカメラマイコン１００は得ることが出来る。
【００４４】
このフィルム面測光センサ２４は、多分割測光センサ７と同様に図４のように画面内を分割しており、撮影画面と共役に関係付けられたそれぞれのエリアの輝度を測定することが出来る。
【００４５】
次にレンズの構成に関して説明を行う。カメラ本体１とレンズ（レンズ鏡筒１１）はレンズマウント接点１０を介して相互に電気的に接続される。このレンズマウント接点１０はレンズ内のフォーカス駆動用モータ１６および、絞り駆動用モータ１７の電源用接点であるＬ０、レンズマイコン１１２の電源用接点であるＬ１、公知のシリアルデータ通信を行う為のクロック用接点Ｌ２、カメラ本体１〜レンズへのデータ送信用接点Ｌ３、レンズからカメラ本体１へのデータ送信用接点Ｌ４、前記モータ用電源に対するモータ用グランド接点であるＬ５、前記レンズマイコン１１２用電源に対するグランド接点であるＬ６で構成されている。
【００４６】
レンズマイコン１１２は、これらのレンズマウント接点１０を介してカメラマイコン１００と接続され、１群レンズ駆動モータ１６及びレンズ絞り駆動モータ１７を動作させ、レンズの焦点調節と絞りを制御している。３５、３６は光検出器とパルス板であり、レンズマイコン１１２がパルス数をカウントすることにより１群レンズの位置情報を得ることが出来、レンズの焦点調節を行ったり、被写体の絶対距離情報をカメラマイコン１００に伝達することが出来る。
【００４７】
次に図３により、ストロボの構成に関して説明をおこなう。
【００４８】
ストロボマイコン２００はカメラマイコン１００からの信号に従って、ストロボ１８の制御を行う回路で、発光量の制御、フラット発光の発光強度及び発光時間の制御や、発光照射角の制御等を行う。
【００４９】
２０１はＤＣ／ＤＣコンバータで、ストロボ制御回路２００の指示により電池電圧を数百Ｖに昇圧し、メインコンデンサＣ１に充電する。
【００５０】
Ｒ１とＲ２はメインコンデンサＣ１の電圧をストロボマイコン２００がモニターするために設けられた分圧抵抗である。ストロボマイコン２００は、分圧された電圧をストロボマイコン内蔵Ａ／Ｄ変換器によりＡ／Ｄ変換することにより、Ｃ１の電圧を間接的にモニタし、ＤＣ／ＤＣコンバータ２０１の動作を制御する事により、メインコンデンサＣ１の電圧を所定の電圧に制御する。
【００５１】
２０２はトリガ回路で、ストロボ発光時にカメラマイコン１００の指示やスイッチＳＷＸ信号によりストロボマイコン２００を介してトリガ信号を出力し、キセノン管１９のトリガ電極に数千Ｖの高電圧を印加する事によりキセノン管１９の放電を誘発し、メインコンデンサＣ１に蓄えられた電荷エネルギーをキセノン管１９を介して光エネルギーとして放出する。
【００５２】
２０３はＩＧＢＴ等のスイッチング素子を用いた発光制御回路であり、前記発光時のトリガー電圧印加時には導通状態とし、キセノン管１９の電流を流し、発光停止時には遮断状態する事により、キセノン管１９の電流を遮断し発光を停止する。
【００５３】
２０４、２０５はコンパレータで、コンパレータ２０４は後述の閃光発光時の発光停止に用いられ、コンパレータ２０５は後述のフラット発光時の発光強度制御に用いられる。２０６はデータセレクタで、ストロボマイコン２００からの選択信号ＳＥＬ０、ＳＥＬ１に従い、Ｄ０からＤ２の入力を選択し、Ｙに出力する
【００５４】
２０７は閃光発光制御用モニタ回路であり、受光素子３１の出力を対数圧縮し、増幅する。２０８は閃光発光制御用モニタ回路２０７の出力を積分する積分回路である。２０９はフラット発光制御用モニタ回路であり、受光素子３２の出力を増幅する。２１０は前記フラット発光時間等を記憶する記憶手段であるＥＥＰＲＯＭである。
【００５５】
照射角（ストロボズーム）調節機構３４は、公知のモータ駆動回路２１１、ズーム駆動モータ２１２、ピニオンギア２１３、ラックギア２１４、反射傘２０の位置を検出するズーム位置検出エンコーダ２１５等で構成される。２１６は発光可能を示すＬＥＤである。
【００５６】
スイッチＳＷＢはストロボがバウンス状態であるがどうかを判別するスイッチである。スイッチＳＷＴは不図示の多灯設定釦に連動するスイッチであり、撮影者が複数のストロボを使用して撮影を行ういわゆる多灯ストロボ撮影のときに多灯設定釦を操作することによって、ストロボマイコン２００が多灯ストロボの設定を行う。スイッチＳＷＭＺは不図示のマニュアルズーム設定釦に連動するスイッチであり、自動で焦点距離情報を検知できないレンズを使用しているときや、撮影者が意図的に撮影画角と異なるストロボ照射角でストロボを照射し、被写体にスポット的にストロボを照射するなどの特殊効果を狙った撮影を行うとき、マニュアルズーム設定釦を操作することによって、ストロボマイコン２００が照射角調節機構３４を動作させ、撮影者の設定したい照射角の設定を行う。
【００５７】
次にストロボマイコン２００の各端子の説明を行う。
【００５８】
ＣＫはカメラとのシリアル通信を行う為の同期クロックの入力端子、ＤＩはシリアル通信データの入力端子、ＤＯはシリアル通信のデータ出力端子、ＣＨＧはストロボの発光可能状態を電流としてカメラに伝える出力端子、Ｘはカメラからの発光タイミング信号の入力端子、ＥＣＫはストロボマイコン２００の外部に接続された記憶手段であるＥＥＰＲＯＭもしくはフラッシュＲＯＭ等の書込可能な記憶手段とシリアル通信を行う為の通信クロックを出力する為の出力端子、ＥＤＩは前記記憶手段からのシリアルデータ入力端子、ＥＤＯは前記記憶手段へのシリアルデータ出力端子、ＳＥＬＥは記憶手段との通信を許可するイネーブル端子であり説明上Ｌｏでイネーブル、Ｈｉでディスエーブルとする。なお、本実施の形態ではストロボマイコンの外部に記憶手段を設定したが、ストロボマイコンに内蔵されていても同じであるのは言うまでもない。
【００５９】
ＰＯＷはパワースイッチ２１５の状態を入力する入力端子、ＯＦＦはパワースイッチ２１５と接続された時にストロボ１８をオフ状態にする為の出力端子、ＯＮはパワースイッチ２１５と接続された時のストロボ１８をオン状態にする為の出力端子であり、パワーＯＮ状態ではＰＯＷ端子はＯＮ端子と接続され、その際ＯＮ端子はハイインピーダンス状態、ＯＦＦ端子はＬｏ状態であり、パワーＯＦＦ状態ではその逆である。ＬＥＤは発光可能を表示する表示出力端子である。
【００６０】
ＳＴＯＰは発光停止信号の入力端子であり、説明上Ｌｏで発光停止状態とする。ＳＥＬ０、ＳＥＬ１は前記データセレクタ２０６の入力選択を指示する為の出力端子であり、ＳＥＬ０、ＳＥＬ１の組み合わせが（ＳＥＬ１、ＳＥＬ０）＝（０、０）の時はＤ０端子がＹ端子に接続され、同様に（０、１）の時はＤ１端子、（１、０）の時はＤ２端子が選択される。
【００６１】
ＤＡ０はストロボマイコン２００に内蔵されたＤ／Ａ出力端子であり、コンパレータ２０４、２０５のコンパレートレベルをアナログ電圧で出力する。ＴＲＩＧはトリガ回路２０２に発光を指示するトリガ信号出力端子。ＣＮＴはＤＣ／ＤＣコンバータ２０１の発振開始停止を制御する出力端子で、説明上Ｈｉで充電開始、Ｌｏで充電停止とする。ＩＮＴは積分回路２０８の積分の開始／リセットを制御する端子で、Ｈｉで積分リセット、Ｌｏで積分許可とする。
【００６２】
ＡＤ０、ＡＤ１はＡ／Ｄ入力端子であり、入力される電圧をストロボマイコン２００内部で処理できるようにディジタルデータに変換するものであり、ＡＤ０はメインコンデンサＣ１の電圧をモニタするものであり、ＡＤ１は積分回路２０８の積分出力電圧をモニタするものである。
【００６３】
Ｚ０、Ｚ１はズーム駆動モータ２１２を駆動するモータ制御回路２１１を制御する制御出力端子であり、ＺＭ０、ＺＭ１、ＺＭ２はズーム位置検出エンコーダ２１５を入力する入力端子、ＣＯＭ０はズーム位置検出エンコーダ２１５のグランドレベルに相当する電流引き込みを行う共通端子である。
【００６４】
ＢＯＵＮＣＥは、ストロボ１８がバウンス状態であるかどうかを入力するポートである。ＴＡＴＯＵは、多灯ストロボの設定のスイッチの入力ポート、Ｍ＿Ｚｏｏｍは、マニュアルズームの設定スイッチの入力ポートである。
【００６５】
次に、このストロボ１８のそれぞれの動作を説明しながら回路を説明する。
【００６６】
＜発光可能状態検知＞
ストロボマイコン２００は、ＡＤ０ポートに入力されたメインコンデンサＣ１の分圧された電圧をＡＤ変換することによって、メインコンデンサＣ１の電圧が発光可能な所定電圧以上であると判別されると、ＣＨＧ端子より所定電流を吸い込み、カメラに発光可能を伝える。また、ＬＥＤ端子をＨｉに設定し、ＬＥＤ２１６を発光させて、発光可能を表示する。
【００６７】
メインコンデンサＣ１の電圧が所定電圧以下であると判別されたときは、ＣＨＧ端子はノンアクティブに設定し電流は遮断され、カメラには発光不能が伝わる。また、ＬＥＤ端子をＬｏに設定し、ＬＥＤ２１６を消灯させて、発光不能を表示する。
【００６８】
＜ストロボ照射角設定＞
ＺＭ０〜ＺＭ２端子から現在のズーム位置を読み込み、シリアル通信によってカメラから指示されたズーム位置になるように、Ｚ０、Ｚ１端子を介して所定の信号を出力を出力することによりモータ駆動回路２１１を駆動する。
【００６９】
また、不図示のマニュアルズーム設定釦によって撮影者がマニュアルでストロボ照射角を設定するときには、Ｍ＿Ｚｏｏｍ端子の信号に従って所定のズーム位置になるようにモータ駆動回路２１１を駆動する。
【００７０】
＜予備フラット発光＞
ストロボ１８が発光可能状態のとき、カメラ本体１は、プリ発光の発光強度と発光時間を通信すると共に、プリ発光を指示することができる。
【００７１】
ストロボマイコン２００は、カメラ本体１より指示された所定発光強度信号に応じて、ＤＡ０に所定の電圧を設定する。次にＳＥＬ１、ＳＥＬ０にＬｏ、Ｈｉを出力し、入力Ｄ１を選択する。このときキセノン管１９はまだ発光していないので、受光素子３２の光電流はほとんど流れず、コンパレータ２０５の反転入力端子に入力されるフラット発光制御用モニタ回路２０９の出力は発生せず、コンパレータ２０５の出力はＨｉであるので、発光制御回路２０３は導通状態となる。次にＴＲＩＧ端子よりトリガ信号を出力すると、トリガ回路２０２は高圧を発生しキセノン管１９を励起し発光が開始される。
【００７２】
一方、ストロボマイコン２００は、トリガ発生より所定時間後、積分回路２０８に積分開始を指示し、積分回路２０８は閃光発光制御用モニタ回路２０７の出力、すなわち、光量積分用の受光素子３１の対数圧縮された光電出力を積分開始すると同時に、所定時間をカウントするタイマーを起動させる。
【００７３】
プリ発光が開始されると、フラット発光の発光強度制御用受光素子３２の光電流が多くなり、フラット発光制御用モニタ回路２０９の出力が上昇し、コンパレータ２０６の非反転入力に設定されている所定のコンパレート電圧より高くなると、コンパレータ２０５の出力はＬｏに反転し、発光制御回路２０３はキセノン管１９の発光電流を遮断し、放電ループがたたれるが、ダイオードＤ１、コイルＬ１により環流ループを形成し、発光電流は回路の遅れによるオーバーシュートが収まった後は、徐々に減少する。発光電流の減少に伴い、発光強度が低下するので、受光素子３２の高電流は減少し、フラット発光制御用モニタ回路２０９の出力は低下し、所定のコンパレートレベル以下に低下すると、再びコンパレータ２０５の出力はＨｉに反転し、発光制御回路２０３が再度導通しキセノン管１９の放電ループが形成され、発光電流が増加し発光強度も増加する。このように、ＤＡ０に設定された所定のコンパレート電圧を中心に、コンパレータ２０５は短い周期で発光強度の増加減少を繰り返し結果的には、所望するほぼ一定の発光強度で発光を継続させるフラット発光の制御が出来る。
【００７４】
前述の発光時間タイマをカウントし、所定のプリ発光時間が経過すると、ストロボマイコン２００はＳＥＬ１、ＳＥＬ０端子をＬｏ、Ｌｏに設定しデータセレクタ２０６の入力はＤ０すなわちＬｏレベル入力が選択され、出力は強制的にＬｏレベルとなり、発光制御回路２０３はキセノン管１９の放電ループを遮断し、発光終了する。
【００７５】
発光終了時に、ストロボマイコン２００は、プリ発光を積分した積分回路２０８の出力をＡ／Ｄ入力端子ＡＤ１から読み込み、Ａ／Ｄ変換し、積分値、すなわちプリ発光時の発光量をディジタル値（ＩＮＴｐ）として読みとる事ができる。＜本発光制御＞
カメラマイコン１００は、プリ発光時の多分割測光センサ７からの被写体反射光輝度値等から、本発光量のプリ発光に対する適正相対値（γ）を求め、ストロボマイコン２００に送る。
【００７６】
ストロボマイコン２００は、プリ発光時の測光積分値（ＩＮＴｐ）にカメラ本体１からの適正相対値（γ）の値を掛け合わせ適正積分値（ＩＮＴｍ）を求め、ＤＡ０出力に適正積分値（ＩＮＴｍ）を設定する。
【００７７】
次にＳＥＬ１、ＳＥＬ０にＨｉ、Ｌｏを出力し、入力Ｄ２を選択する。このとき積分回路２０８は動作禁止状態なので、コンパレータ２０４の反転入力端子に入力される積分回路２０８の出力は発生せず、コンパレータ２０４の出力はＨｉであるので、発光制御回路２０３は導通状態となる。次にＴＲＩＧ端子よりトリガ信号を出力すると、トリガ回路２０２は高圧を発生しキセノン管１９を励起し発光が開始される。またストロボマイコン２００は、トリガ印加によるトリガノイズが収まるとともに実際の発光が開始される１０数μｓｅｃ後に積分開始端子ＩＮＴをＬｏレベルに設定し、積分回路２０８はセンサ３１からの出力を閃光発光制御用モニタ回路２０７を介して積分する。積分出力がＤＡ０で設定された所定電圧に到達すると、コンパレータ２０４は反転し、データセレクタ２０６を介して発光制御回路２０３は導通を遮断され、発光は停止する。一方ストロボマイコン２００はＳＴＯＰ端子をモニタし、ＳＴＯＰ端子が反転し発光が停止すると、ＳＥＬ１、ＳＥＬ０端子をＬｏ、Ｌｏに設定し強制発光禁止状態に設定するとともに、積分開始端子を反転し、積分を終了し、発光処理を終了する。
【００７８】
このようにして、本発光を適正な発光量に制御することが出来る。
【００７９】
次に、図６〜図７を用いて本発明を実施したストロボカメラシステムの動作フローをカメラマイコン１００の動作を中心に説明する。
【００８０】
［＃１０１］図６においてカメラの動作が開始すると、カメラマイコン１００はまずレリーズ釦の第１ストロークでＯＮするスイッチＳＷ１を検出する。スイッチＳＷ１を検出するまではこの動作を繰り返し、スイッチＳＷ１を検出すると次のステップに移行する。
【００８１】
［＃１０２］カメラマイコン１００は、前述の測光回路１０６より画面内の複数のエリアの
被写体輝度情報をＡ／Ｄ変換により得る。この輝度情報により、後述での露光動作に用いるシャッタースピード、絞り値を演算により求める。
【００８２】
［＃１０３］カメラマイコン１００は焦点検出回路１０５を駆動することにより周知の位相差検出法による焦点検出動作を行う。
【００８３】
焦点検出するポイント（測距ポイント）は前述したように複数あるため、撮影者が任意に測距ポイントを設定できる方式の場合と、近点優先を基本の考え方とした周知の自動選択アルゴリズム方式の場合等がある。
【００８４】
［＃１０４］選択された測距ポイントが合焦となるように、カメラマイコン１００はレンズ側と通信を行うことによってレンズの焦点調節を行う。
【００８５】
また、レンズ合焦位置の絶対距離情報を通信によってカメラマイコン１００は得ることが出来る。
【００８６】
［＃１０５］カメラマイコン１００は、レリーズ釦の第２ストロークでＯＮするスイッチＳＷ２がＯＮであるかどうかを判別する。ＯＦＦであれば、ステップ１０１〜１０４までの動作を繰り返し、スイッチＳＷ２がＯＮであれば、ステップ１０６以下のレリーズ動作に進む。
【００８７】
［＃１０６］レリーズ動作にはいるとまず、ストロボの発光量演算サブルーチンをコールする。
【００８８】
ここで図７を用い、ストロボ発光量演算サブルーチンを説明する。
【００８９】
［＃２０１］カメラマイコン１００は、プリ発光の直前に被写体輝度を測光回路１０６により得る。その輝度値はそれぞれのエリア毎に、
ＥＶａ（ｉ）  ｉ＝０〜１８
として、ＲＡＭに記憶させる。
【００９０】
［＃２０２］カメラマイコン１００は、ストロボ１８側に対してプリ発光の命令を行う。ストロボマイコン２００はこの命令に従って、前述したようにプリ発光動作を行う。
【００９１】
カメラマイコン１００は、プリ発光のフラット発光が持続している間に被写体輝度を測光回路１０６により得る。その輝度値はそれぞれのエリア毎に、
ＥＶｆ（ｉ）  ｉ＝０〜１８
として、ＲＡＭに記憶させる。
【００９２】
［＃２０３］カメラマイコン１００は、ＥＶａとＥＶｆからプリ発光反射光分のみの輝度値を抽出する。
【００９３】
ＥＶｄｆ( ｉ)   ←  ＥＶｆ( ｉ) −  ＥＶａ( ｉ)   ｉ＝０〜１８
として、ＲＡＭに記憶させる。
【００９４】
［＃２０４］カメラマイコン１００は、ストロボ光量を適正に制御するために演算を行う中心のエリアを選出する。
【００９５】
このエリアの選出には、前述の測距ポイントをそのまま採用する方法もあるし、カメラに最至近の被写体のエリアを示すＥＶｄｆの値が最大となるエリアを選出する方法等がある。エリアを選出すると後述の重み付け演算をするのに用いる他のエリアを図１１のように選出する。他のエリアは、演算を行う中心のエリアに隣り合うエリアとしているが、当然これに限るものでなく、残りの全てのエリアとしてもよい。また、演算を行う中心のエリアも２つ以上のエリアを選出することもあり得る。
【００９６】
［＃２０５］カメラマイコン１００は、被写体の倍率情報（例えば距離に関する情報）から重み付け係数ａ，ｂを演算し決定する。
【００９７】
該被写体の倍率情報は、＃２０４で選出されたエリアのＥＶｄｆの値を用いる。ＥＶｄｆは、プリ発光反射光分のみの輝度値であるので当然ながら被写体倍率が１／２になると、反射光が少なくなり、ＥＶｄｆの値が１／４になる。
【００９８】
図１０に重み付け係数ａ，ｂの決定方法をグラフで示してある。係数ａは演算を行う中心のエリアの重み付け係数であり、係数ｂは、その他のエリアの重み付け係数である。
【００９９】
被写体倍率が大きくなってＥＶｄｆの値が大きくなるほど、係数ａを小さく係数ｂが大きくしており、逆に被写体倍率が小さくなってＥＶｄｒの値が小さくなると係数ａを大きく係数ｂを小さくしている。但しこの係数ａ、ｂの決定は標準的な撮影動作に基づいているため、例えばバウンスストロボの撮影や多灯ストロボ、ワイヤレスストロボやマクロ撮影等特殊な撮影の時はａ，ｂの値が変わることは充分考えられる。
【０１００】
また、この距離に関するデータは、単純にカメラマイコン１００が＃１０４でレンズと通信することによって得た絶対距離情報を用いることでもよい。
【０１０１】
［＃２０６］カメラマイコン１００は、重み付け平均を行う選択されたエリアに対して、それぞれ適正となるストロボ光量の演算を行う。
【０１０２】
Ｐ＝｛ＴＧＴ−ＥＶａ(ｉ) ｝／ＥＶｄｆ（ｉ）
ここで、ＴＧＴ：適正露光量、ＥＶａ：外光による被写体の輝度、ＥＶｄｆ：プリ発光反射光分のみの輝度、Ｐ：それぞれのエリアの適正となるストロボ光量であり、そしてそれぞれのエリアのＰの値より、選択された中心のエリアのＰ（Ｐ１）と、その他のエリアのＰ（Ｐ２）を単純な平均で求める。（選択された中心のエリアが１つであれば平均といってもそのもの値である。）
【０１０３】
さらに次の式に従って重み付け平均を行う。
【０１０４】
Ｗave＝ａ×Ｐ１＋ｂ×Ｐ２ （ａ、ｂとも≦１）
［＃２０７］カメラマイコン１００は、Ｗaveの値を適正相対値（γ）に変換する演算を行い、ストロボ１８側に通信によりγの値を送る。
【０１０５】
ここでストロボ発光量演算サブルーチンを終え、図６に戻る。
【０１０６】
［＃１０７］カメラマイコン１００は、露光動作を行う。
【０１０７】
すなわち、主ミラー２をアップさせサブミラー２５ともども撮影光路より退避させ、レンズを制御して絞りを制御し、決められたシャッタースピード値（ＴＶ）になるようにシャッター制御回路１０７を制御する。このときシャッター８の全開に同期してスイッチＳＷＸがＯＮし、ストロボ１８側に伝わり、これが本発光の命令となる。ストロボマイコン２００は、カメラ本体１から送られてきたγに基づいて適正な量に前述のような本発光制御行う。
【０１０８】
最後は、撮影光路より退避していた主ミラー２等をダウンし再び撮影光路へ斜設させ、モータ制御回路１０８とフイルム走行検知回路１０９により、フィルムを１駒巻上げる。
【０１０９】
本実施の形態の効果を撮影シーンの例で図５を用いて説明する。
【０１１０】
図５の（ａ）のシーンは被写体がやや遠く、被写体倍率が小さいため、演算中心エリアＡ４と他の周辺のエリアＡ０，Ａ３，Ａ５，Ａ１２，Ａ１３，Ａ１４のプリ発光被写体反射光量（ＥＶｄｆ）より、なるべく中心エリアＡ４の重み付け係数ａを多くしている。そうすることによって被写体から抜けているためプリ発光の反射光量が戻ってこないエリアの影響を少なくして、露出がストロボ光でオーバーにならないように制御している。
【０１１１】
図５の（ｂ）のシーンは被写体が近く、被写体倍率が大きくなっているため、演算中心エリアＡ４と他の周辺のエリアＡ０，Ａ３，Ａ５，Ａ１２，Ａ１３，Ａ１４のプリ発光被写体反射光量（ＥＶｄｆ）より、なるべく中心エリアＡ４の重み付け係数ａを小さくしている。演算するエリアを平均的に評価してストロボ光量を決定することになるので、服の色が白や黒とかで反射率が違うような難しいシーンでも適正なストロボ露出制御が可能である。
【０１１２】
また、ガラスの正反射等が画面内に入り、ＥＶｄｆの値から間違って被写体が近いと判断されるようなときでも、より複数のエリアの平均を取るので大きくアンダー露出となることもない。つまりどんなシーンにも適応し、常に安定したストロボ露出レベルが得られる。
【０１１３】
（第２の実施の形態）
図８およびお図９波第２の実施の形態を示す。図８および図９はストロボ１８の光量制御として最終的にフィルム面反射光を測光して行うカメラのフローを示す。但し、前述の図６〜図７と共通している部分の説明は省略する。
【０１１４】
［＃３０１〜３０５］図６の＃１０１〜１０５とほとんど同じであり説明は省略する。
【０１１５】
［＃３０６］レリーズ動作にはいるとまず、重み付け係数決定サブルーチンをコールする。
【０１１６】
図９で重み付け係数決定サブルーチンを説明する。
【０１１７】
［＃４０１〜４０５］図７の＃２０１〜２０５とほとんど同じであり説明は省略する。
【０１１８】
ここで重み付け係数決定サブルーチンを終え、図８に戻る。
【０１１９】
［＃３０７］カメラマイコン１００は、露光動作を行う。ここも＃１０７とほぼ同じであるが、ストロボ１８の発光量の制御の仕方が異なる。
【０１２０】
シャッター８の全開に同期してスイッチＳＷＸがＯＮし、これがストロボ１８側に伝わり本発光が開始すると同時に、このフィルム面測光センサ２４は測光積分を開始する。
【０１２１】
カメラマイコン１００は、＃４０４で選択された演算を行う中心のエリアと他のエリアの測光センサ２４の測光積分値（Ｐ１、Ｐ２）を＃４０５で決定された重み付け係数ａ，ｂを用い下記の式で加算する。
【０１２２】
Ｗsum ＝ａ×Ｐ１＋ｂ×Ｐ２ （ａ、ｂとも≦１）
そして、Ｗsum が所定の値に到達したところで、ストロボ１８の発光を停止する。
【０１２３】
本実施の形態の効果は第１の実施の形態と同様、どんなシーンにも適応し常に安定したストロボ露出レベルが得られることにある。さらに本実施の形態では、ストロボ１８側の閃光発光制御用モニタ回路２０７等が必要ないため回路が簡略になるという利点もある。
【０１２４】
これら第１、第２の実施の形態は本発光が閃光発光で説明しているが、一様な波高値が続くフラット発光でも適用できる。またストロボ１８が着脱式でなくカメラ本体１に内蔵できるタイプでも適用できることも言うまでもない。
【０１２５】
【発明の効果】
以上説明したように請求項１〜９に係る本発明のカメラシステムによれば、被写体の倍率に応じてストロボ光量を決定する重み付け平均演算の係数を異ならしめることで、どんなシーンにも適応し、常に安定したストロボ露出レベルが得られ性能の非常に高いカメラシステムを実現したものである。
【図面の簡単な説明】
【図１】本発明の第１の実施の形態を示すストロボカメラシステムの横断面図
【図２】図１のカメラシステムの電気回路ブロック図
【図３】図１のカメラシステムのストロボの電気回路ブロック図
【図４】図１の測光回路の画面分割図
【図５】（ａ）、（ｂ）は第１の実施の形態の分割測光領域と被写体の遠近の関係を示す図
【図６】第１の実施の形態のストロボカメラシステムの動作を示すフローチャート
【図７】第１の実施の形態のストロボカメラシステムの動作を示すフローチャート
【図８】第２の実施の形態のストロボカメラシステムの動作を示すフローチャート
【図９】第２の実施の形態のストロボカメラシステムの動作を示すフローチャート
【図１０】第１の実施の形態の重み付け係数の決定グラフ
【図１１】第１の実施の形態のストロボカメラシステムの重み付け平均を行うエリア選出図表
【符号の説明】
２００…ストロボマイコン
Ｃ１…メインコンデンサ
１９…キセノン管
２０３…発光制御回路
２０５…コンパレータ
２０６…データセレクタ
７…多分割測光センサー
１０６…測光回路１００…カメラマイコン
２６…焦点検出ユニット
３１…センサ（ＰＤ１）
２０７…閃光発光制御用モニタ回路
２４…フィルム面測光センサ
１１４…フィルム面反射測光回路
【図１】
0003839901.tif 000002
【図２】
0003839901.tif 000003
【図３】
0003839901.tif 000004
【図４】
0003839901.tif 000005
【図５】
0003839901.tif 000006
【図６】
0003839901.tif 000007
【図７】
0003839901.tif 000008
【図８】
0003839901.tif 000009
【図９】
0003839901.tif 000010
【図１０】
0003839901.tif 000011
【図１１】
0003839901.tif 000012